(57)【要約】      （修正有）【課題】プラグが接続されている電気製品が転倒して損壊すること、又はユーザが転倒、負傷することを回避可能なマグネット付きプラグを提供する。【解決手段】第１本体１０と、第２本体２０と、を備える。第１本体はコンセントの挿入穴部に挿入可能な導電部１１と、第１磁性体１３と、第１導電接触部１５とを有する。第２本体は第１磁性体と相互に吸着可能な第２磁性体と、第１導電接触部と電気的に接続可能な第２導電接触部を有し、第２磁性体から遠ざかった離れた側にケーブル２２が設けられている。ケーブルは、電気製品及び導電部と電気的に接続する。【選択図】図３
0003195045.tif 000002
【実用新案登録請求の範囲】
【請求項１】
コンセントの挿入穴部に挿入可能な導電部、および第１磁性体を有する第１本体と、
前記第１磁性体と相互に吸着可能な第２磁性体を有し、前記第２磁性体から離れた側にケーブルが設けられており、前記ケーブルが電気製品及び前記導電部に電気的に接続可能である第２本体と、を備えることを特徴とするマグネット付きプラグ。
【請求項２】
コンセントの挿入穴部に挿入可能な導電部、および第１磁性体を有する第１本体と、
前記第１磁性体と相互に吸着可能な第２磁性体を有し、前記第２磁性体から離れた側にスロットが二つ設けられており、二つの前記スロットに電気製品のプラグが挿入されることで前記プラグが前記導電部と電気的に接続する第２本体と、を備えることを特徴とするマグネット付きプラグ。
【請求項３】
前記第１本体は第１斜面を有し、
前記第１磁性体は前記第１斜面に位置し、
前記第２本体は、前記第１斜面に対応する第２斜面を有し、
前記第２磁性体は、前記第２斜面に位置することを特徴とする請求項１又は２に記載のマグネット付きプラグ。
【請求項４】
前記第１磁性体は前記第１本体の一端に設けられており、
前記第２本体は一端に接続溝が形成されており、
前記第２磁性体は前記接続溝内に位置することを特徴とする請求項１又は２に記載のマグネット付きプラグ。
【請求項５】
前記第１磁性体は、両側にそれぞれ接続穴が形成されており、
前記第１本体は、内部に第１導電接触部が二つ設けられており、
二つの前記第１導電接触部は、一端が前記導電部と電気的に接続されており、他端がそれぞれ二つの前記接続穴内に位置し、
前記第２本体は、内部に第２導電接触部が二つ設けられており、
二つの前記第２導電接触部は、一端が前記電気製品と電気的に接続されており、他端がそれぞれ二つの前記接続穴に挿入されており二つの前記第１導電接触部と電気的に接続されていることを特徴とする、請求項１又は２に記載のマグネット付きプラグ。
【考案の詳細な説明】
【技術分野】
【０００１】
本考案は、電気機器をコンセントに接続するための部品に関し、特にマグネット付きプラグに関する。
【背景技術】
【０００２】
従来の電気製品では、使用する際に電気製品に接続されているプラグを壁面に設けられているコンセントに挿入する。これにより、交流電源がケーブルを経由して電気製品に流れて、電気製品の利用が可能になる。
【０００３】
しかしながら、電気製品に接続されているプラグを壁面に設けられているコンセントに挿入すると、ユーザの不注意により電気製品に接続されているケーブルが引かれると、電気製品が転倒して損壊することが一般的である。そしてユーザがケーブルにつまずいて転倒、負傷する可能性もある。
【考案の概要】
【考案が解決しようとする課題】
【０００４】
本考案は、上述の問題に鑑みてなされたものであり、その目的は、二つの本体が素早く離脱可能であり、二つの本体の一方に接続されている電気製品の転倒および損壊を防止することが可能であるマグネット付きプラグを提供することにある。
【課題を解決するための手段】
【０００５】
本考案の一態様によるマグネット付きプラグは、第１本体と、第２本体と、を備える。第１本体はコンセントの挿入穴部に挿入可能な導電部と、第１磁性体と、を有する。第２本体は第１磁性体と相互に吸着可能な第２磁性体を有し、第２磁性体から遠ざかった離れた側にケーブルが設けられている。ケーブルは、電気製品及び導電部と電気的に接続する。
【０００６】
本考案の別の態様によるマグネット付きプラグは第１本体および第２本体を備える。第１本体は、コンセントの挿入穴部に挿入可能な導電部、および第１磁性体を有する。第２本体は、第１磁性体と相互に吸着可能な第２磁性体を有し、第２磁性体から離れた側にスロットが二つ設けられており、二つのスロットに電気製品のプラグが挿入されることでプラグが前記導電部と電気的に接続する。
【０００７】
また、第１本体は第１斜面を有し、第１磁性体は第１斜面に位置する。第２本体は、第１斜面に合わせるための第２斜面を有し、第２磁性体は第２斜面に位置する。
【０００８】
また、第１磁性体は第１本体の一側に設けられており、第２本体の一側に接続溝が設けられており、第２磁性体は接続溝内に位置する。
【０００９】
また、第１磁性体の両側には、それぞれ接続穴を有し、第１本体の内部に第１導電接触部が二つ設けられており、二つの第１導電接触部は、一端が導電部と電気的に接続し、他端がそれぞれ二つの接続穴内に位置し、第２本体の内部に第２導電接触部が二つ設けられており、第２導電接触部は、一端が電気製品と電気的に接続し、他端がそれぞれ二つの接続穴に挿入して、二つの第１導電接触部と電気的に接続する。
【００１０】
本考案のマグネット付きプラグによれば、次のような効果を有する。
（１）第１本体と第２本体とを互いに結合することにより、電気製品のケーブルが第１本体の導電部と間接に電気的に接続し、電流がコンセントから電気製品に流すことが可能である。このように、電気製品を利用することができる。
【００１１】
（２）第１本体の二つの接続穴に第２本体の二つの導電接触部を挿入することが可能であり、第１本体と第２本体とは、第１斜面と第２斜面とを合わせることにより、位置合せを容易に行うことが可能であり、そして二つの第１導電ストリップと二つの第２導電ストリップとの電気的接続の間違いを防止することが可能である。
【００１２】
（３）第２本体の第２斜面が第１本体の第１斜面に合わせて、第２本体の接続溝と第１本体の第１磁性体とは凹凸嵌合によって結合されているため、第１本体と第２本体との結合はより安定となり、電気製品を安定的に稼動することが可能である。
【００１３】
（４）第２本体に接続されているケーブルが外力で引かれると、第２本体は第１本体から迅速に離脱することができ、当該電気製品が倒れて損壊し、又はユーザがケーブルに躓かれて倒れて怪我することを回避することができる。
【図面の簡単な説明】
【００１４】
【図１】本考案の第１実施形態によるマグネット付きプラグを示す斜視図である。
【図２】本考案の第１実施形態によるマグネット付きプラグを別の角度から見た斜視図である。
【図３】本考案の第１実施形態によるマグネット付きプラグの第２本体が第１本体から離脱した状態を示す斜視図である。
【図４】本考案の第１実施形態によるマグネット付きプラグの第２本体が第１本体から離脱した状態を別の角度から見た斜視図である。
【図５】本考案の第２実施形態によるマグネット付きプラグを示す斜視図である。
【図６】本考案の第２実施形態によるマグネット付きプラグを別の角度から見た斜視図である。
【図７】本考案の第２実施形態によるマグネット付きプラグの第１本体、第２本体及びプラグを分離した状態を示す斜視図である。
【図８】本考案の第２実施形態によるマグネット付きプラグの第１本体、第２本体及びプラグを分離した状態を別の角度から見た斜視図である。
【考案を実施するための形態】
【００１５】
以下、本考案の複数の実施形態を図面に基づき説明する。
（第１実施形態）
図１から図４を参照する。図１は本考案の第１実施形態を示す斜視図であり、図２は本考案の第１実施形態の別の角度から見た斜視図であり、図３は本考案の第２本体が第１本体から離脱した状態を示す斜視図であり、図４は本考案の第２本体が第１本体から離脱した状態を別の角度から見た斜視図である。本実施形態のマグネット付きプラグは、第１本体１０と、第２本体２０と、を含む。
【００１６】
第１本体１０は、コンセントの挿入穴部（図示せず）に挿入可能な導電部１１を有する。本実施形態に係る導電部１１は二つの導電端子を有する。二つの導電端子をコンセントの挿入穴部の二つの挿入穴にそれぞれ差し込むことが可能である。
【００１７】
第１本体１０の導電部１１から離れた側に第１斜面１２が設けられている。第１斜面１２に第１磁性体１３が設けられている。第１磁性体１３は、第１斜面１２から突出し、相互に平行する二つの磁性接触部１３ａから構成される。第１磁性体１３の両側に接続穴１４がそれぞれ設けられている。第１本体１０の内部に第１導電接触部１５が二つ設けられている。二つの第１導電接触部１５は、一端が導電部１１と電気的に接続し、他端がそれぞれ二つの接続穴１４内に位置する。
【００１８】
第２本体２０は、第２斜面２１を有し、第１斜面に吸着することが出来る。第２本体２０の第２斜面２１から離れた側にはケーブル２２が延びている。ケーブル２２は電気製品（図示せず）と電気的に接続する。
【００１９】
第２斜面２１に接続溝２３が設けられている。接続溝２３内には、第１磁性体１３と相互に吸着可能な第２磁性体２４が設けられている。第１磁性体１３の厚さは、第２本体２０の接続溝２３に対応する。このように、第１本体１０と第２本体２０は相互の結合が可能である。
【００２０】
第２本体２０の内部に第２導電接触部２５が二つ設けられている。図４に示すように、第２導電接触部２５は、一端がケーブル２２と電気的に接続し、他端が第２斜面２１から突出して接続溝２３の両側に位置する。二つの第２導電接触部２５の他端は、それぞれ第１本体１０の二つの接続穴１４に挿入されるため、二つの第１導電接触部１５とそれぞれ電気的に接続することが可能である。
【００２１】
第１磁性体１３と第２磁性体２４を相互に連接することにより、第１本体１０と第２本体２０が結合し、電気製品のケーブル２２は、第１本体１０の導電部１１と間接的に電気接続して、交流電源が電気製品に流れることにより電気製品を稼動させることが可能である。
【００２２】
（第２実施形態）
図５から図８を参照する。本実施形態が第１実施形態と異なる点は、第２本体２０の第２斜面２１から離れた側にスロット２６が二つ設けられている点である。二つのスロット２６に電気製品のプラグ２００を差し込むことが可能であり、プラグ２００が第２導電接触部２５、２５とそれぞれ電気的に接続する。第１本体１０と第２本体２０が結合すると、プラグ２００は、第１本体１０の導電部１１と交流電源とが電気的に接続することで、交流電源と電気的に接続する。よって、電流は、コンセント、マグネット付きプラグ１００、およびプラグ２００を経由して、電気製品に流れる。
【００２３】
このように、第１実施形態に係る第２本体２０から延びるケーブル２２、又は第２実施形態に係る電気製品のプラグ２００のケーブル２０１は、引っ掛けられたり、外力によって引っ張られたりすると、第２本体２０が第１本体１０から素早く離脱して、第１本体１０だけがコンセントに残り、挿入される。これにより、本考案のマグネット付きプラグ１００は、高い位置にある電気製品が転倒して損壊し、又はユーザがケーブル２２、２０１につまずいて転倒、負傷することを防止することが可能である。
【００２４】
一方、第１本体１０の二つの接続穴１４に第２本体２０の二つの第２導電接触部２５を挿入することが可能であり、第１本体１０と第２本体２０は、第１斜面１２と第２斜面２１によって相互に接合することにより、位置合せが容易に行え、そして二つの第１導電接触部１５と二つの第２導電接触部２５の電気的な誤接続を防止することが可能である。
【００２５】
第１本体１０と第２本体２０は第１斜面１２及び第２斜面２１と相互に接合しており、さらに第２本体２０の接続溝２３と第１本体１０の第１磁性体１３は凹凸に設計されているため、第１本体１０と第２本体２０は安定的に結合し、電気製品を安定的に稼動させることが可能である。ケーブル２２、２０１が引っ掛けられたり外力によって引っ張られたりすると、第２本体２０が第１本体１０から素早く離脱することが可能である。
本考案は、プラグに適用することができる。
【符号の説明】
【００２６】
１０  第１本体、
１１  導電部、
１２  第１斜面、
１３  第１磁性体、
１３ａ  磁性接触部、
１４  接続穴、
１５  第１導電接触部、
２０  第２本体、
２１  第２斜面、
２２  ケーブル、
２３  接続溝、
２４  第２磁性体、
２５  第２導電接触部、
２６  スロット、
１００  マグネット付きプラグ、
２００  プラグ、
２０１  ケーブル。
【図１】
0003195045.tif 000003
【図２】
0003195045.tif 000004
【図３】
0003195045.tif 000005
【図４】
0003195045.tif 000006
【図５】
0003195045.tif 000007
【図６】
0003195045.tif 000008
【図７】
0003195045.tif 000009
【図８】
0003195045.tif 000010